(57)【要約】      （修正有）【課題】各部材の境界部分から燃焼ガスが漏れ出にくくした分解組立式バイオマス暖房機を提供する。【解決手段】木質バイオマス燃料を一次燃焼させるための一次燃焼室αを本体部１００内に有し、本体部１００が、金属板からなる複数の部材１０１〜１１９に分解可能な構造とされた分解組立式バイオマス暖房機において、複数の部材１０１〜１１９のうち、少なくとも一の部材１０１と、当該一の部材１０１の周囲に配される他の部材１０２との境界部分に、砂状物質充填部１０８〜１１１を設け、砂状物質充填部１０８〜１１１に砂状物質を充填することによって、前記境界部分の封止と、本体部１００の蓄熱性の向上とを行うことができるようにした。【選択図】図２
0003210473.tif 000002
【実用新案登録請求の範囲】
【請求項１】
木質バイオマス燃料を一次燃焼させるための一次燃焼室を本体部内に有し、
本体部が、金属板からなる複数の部材に分解可能な構造とされた
分解組立式バイオマス暖房機であって、
砂状物質を充填するための砂状物質充填部が、前記複数の部材のうち、少なくとも一の部材と当該一の部材の周囲に配される他の部材との境界部分に設けられ、
砂状物質充填部に砂状物質を充填することによって、前記境界部分の封止と、本体部の蓄熱性の向上とを行うことができるようにした
ことを特徴とする分解組立式バイオマス暖房機。
【請求項２】
前記複数の部材のいずれもが、厚さ３ｍｍ以下で重量１０ｋｇ以下の金属板によって形成された請求項１記載の分解組立式バイオマス暖房機。
【請求項３】
本体部が、
金属板からなり、本体部の天井部分を形成する天蓋部材と、
金属板からなり、本体部の外壁部分を形成する複数の外壁部材と
に分解可能な構造とされ、
砂状物質充填部が、天蓋部材と各外壁部材との境界部分に沿って環状に設けられた
請求項１又は２記載の分解組立式バイオマス暖房機。
【請求項４】
砂状物質充填部が、各外壁部材の上部に取付可能とされた、金属板からなる溝型部材によって形成され、
天蓋部材の外縁部に、溝型部材の溝内に充填された砂状物質に対して下向きに差し込み可能な下向き折曲部が形成され、
各外壁部材の上縁部に、前記溝型部材の溝上を覆う内向き折曲部が形成された
請求項３記載の分解組立式バイオマス暖房機。
【請求項５】
複数の外壁部材のうち、少なくとも一の外壁部材の端縁部に、外向きに折り曲げられた外向き折曲部が形成され、
前記一の外壁部材の周囲に配される他の外壁部材の端縁部に、前記一の外壁部材の外向き折曲部に重なり合う重合部と、当該重合部から前記一の外壁部材の外向き折曲部側に折り曲げられて当該外向き折曲部の外端縁を覆う被覆折曲部とが形成された
請求項３又は４記載の分解組立式バイオマス暖房機。
【請求項６】
複数の外壁部材が、
外気を本体部内に供給するための給気口を有する前方外壁部材と、
本体部内で燃焼された空気を本体部内から排出するための排気口を有する後方外壁部材と、
前方外壁部材及び後方外壁部材の両側に配される左右一対の側方外壁部材と
で構成されるとともに、
通気口を有する金属板からなる前方内壁部材が、前方外壁部材から後方に隙間（以下「第一の隙間」という。）を隔てた状態で前方外壁部材に沿って設けられ、
通気口を有する金属板からなる後方内壁部材が、後方外壁部材から前方に隙間（以下「第二の隙間」という。）を隔てた状態で後方外壁部材に沿って設けられ、
第一の隙間と第二の隙間とを連結し、第一の隙間から第二の隙間への給気を可能とする給気路形成部材が、左右一対の側方外壁部材の内面側に設けられたことによって、
前方内壁部材と後方内壁部材との間の空間が、一次燃焼室となり、
第一の隙間、第二の隙間及び給気路形成部材の内部空間が、二次燃焼室となるようにされた
請求項３〜５いずれか記載の分解組立式バイオマス暖房機。
【請求項７】
給気路形成部材の天井面が、第一の隙間側から第二の隙間側になるにつれて高くなるように形成された
請求項６記載の分解組立式バイオマス暖房機。
【考案の詳細な説明】
【技術分野】
【０００１】
本考案は、木質バイオマス燃料を燃焼させることで暖房を行うための分解組立式バイオマス暖房機に関する。
【背景技術】
【０００２】
我が岡山県だけでなく、日本各地には、放置竹林や間伐材や里山広葉樹や松くい虫被害材等、多種多様な未利用森林資源がある。しかし、これらの未利用森林資源は、その利用方法が限られているため、有効な活用先が見当たらず、依然として放置されている状況にある。このような状況に鑑みてか、近年は、これらの未利用森林資源を、農業用ハウス等の暖房の燃料（木質バイオマス燃料）として利用する試みが為されるようになってきている。木質バイオマス燃料を利用するバイオマス暖房機も、これまでに各種のもの（例えば特許文献１〜３を参照。）が提案されている。
【先行技術文献】
【特許文献】
【０００３】
【特許文献１】特開２００８−１９６７５７号公報
【特許文献２】特開２０１０−２４３０９６号公報
【特許文献３】特開２０１６−００６３６６号公報
【考案の概要】
【考案が解決しようとする課題】
【０００４】
しかし、従来のバイオマス暖房機は、大型であり、運搬や設置に労力を要するものとなっていた。特に、農業用ハウス等の内部にバイオマス暖房機を設置するような場合には、農業用ハウス等の入口からバイオマス暖房機を入れることさえできない場合もあった。また、従来のバイオマス暖房機は、高価であったため、農家の経営を圧迫するものとなっていた。運搬や設置が容易で安価なバイオマス暖房機があればよいのであるが、そのようなバイオマス暖房機は、これまでに見当たらなかった。
【０００５】
このような問題を、解決するため、本考案者は、分解組立式のバイオマス暖房機の開発に着手するに至った。具体的には、バイオマス暖房機を、それぞれが人力で運搬可能な金属板からなる複数の部材に分解可能なものとするとともに、各部材（金属板）を軽量な薄いものとすることに思い至った。しかし、バイオマス暖房機の各部材（金属板）を薄くすると、バイオマス暖房機の使用時に発生する熱によって、各部材（金属板）が変形しやすくなるため、各部材の境界部分に隙間が生じて、その隙間から燃焼ガスが漏れ出やすくなることが分かった。漏れ出た燃焼ガスには、タール等の不純物が多く含まれていることもある。このため、燃焼ガスが漏れ出ると、暖房を行っている場所（暖房対象箇所）の環境を悪化させることにも繋がりかねない。また、燃焼ガスが漏れ出ると、燃焼効率が低下する虞もある。
【０００６】
本考案は、上記課題を解決するために為されたものであり、運搬や設置が容易で安価な分解組立式のものでありながら、各部材の境界部分から燃焼ガスが漏れ出にくくして、暖房対象箇所の環境の悪化を防止することや、燃焼効率を高めることのできる分解組立式バイオマス暖房機を提供するものである。
【課題を解決するための手段】
【０００７】
上記課題は、
木質バイオマス燃料を一次燃焼させるための一次燃焼室を本体部内に有し、
本体部が、金属板からなる複数の部材に分解可能な構造とされた
分解組立式バイオマス暖房機であって、
砂状物質を充填するための砂状物質充填部が、前記複数の部材のうち、少なくとも一の部材と当該一の部材の周囲に配される他の部材との境界部分に設けられ、
砂状物質充填部に砂状物質を充填することによって、前記境界部分の封止と、本体部の蓄熱性の向上とを行うことができるようにした
ことを特徴とする分解組立式バイオマス暖房機
を提供することによって解決される。
【０００８】
これにより、砂状物質充填部に充填した砂状物質によって、各部材の境界部分を封止することが可能になる。したがって、分解組立式バイオマス暖房機の使用時に発生した熱によって各部材（金属板）が変形し、各部材の境界部分に隙間が生じたとしても、その隙間から燃焼ガスが漏れ出ないようにすることが可能になる。よって、暖房対象箇所の環境の悪化を防ぐだけでなく、分解組立式バイオマス暖房機の燃焼効率の低下を防ぐことも可能になる。加えて、砂状物質充填部に充填した砂状物質によって、本体部の蓄熱性を高めることも可能になる。
【０００９】
また、本考案に係る分解組立式バイオマス暖房機は、上記のように、各部材（金属板）に熱による変形が生じたとしても、本体部内から燃焼ガスが漏れ出にくいものであるため、各部材（金属板）を薄く軽量なものとすることができる。したがって、分解組立式バイオマス暖房機を、運搬や設置がより容易なものとすることや、より安価なものとすることも可能になる。本考案に係る分解組立式バイオマス暖房機では、前記複数の部材を、いずれも厚さ３ｍｍ以下で重量１０ｋｇ以下の金属板によって形成することも可能である。
【００１０】
本考案に係る分解組立式バイオマス暖房機において、各部材をどのように構成するかについては、特に限定されないが、
本体部を、
金属板からなり、本体部の天井部分を形成する天蓋部材と、
金属板からなり、本体部の外壁部分を形成する複数の外壁部材と
に分解可能な構造とし、
砂状物質充填部が、天蓋部材と各外壁部材との境界部分に沿って環状に設ける
ことが好ましい。
【００１１】
これにより、木質バイオマス燃料を一次燃焼室に充填する作業や、その木質バイオマス燃料に着火する作業や、使用済みの木質バイオマス燃料を一次燃焼室から取り出す作業等を、天蓋部材を開けることにより、本体部の上部から行うことが可能になる。加えて、本体部内からの燃焼ガスの漏出をより効果的に防止することも可能になる。というのも、分解組立式バイオマス暖房機の本体部内に導入された空気は、燃焼時に温度が上昇して軽くなり、本体部内の上部に移動しやすいため、上記のように、本体部を天蓋部材と複数の外壁部材とで構成した場合には、本体部内の燃焼ガスは、主に、天蓋部材の外縁部と各外壁部材の上縁部との隙間から漏れ出ようとする。この点、上記のように、砂状物質を充填する砂状物質充填部を、天蓋部材の外縁部と各外壁部材の上縁部との境界部分に沿って環状に設けることで、当該境界部分に隙間が生じたとしても、その隙間から燃焼ガスが漏れ出ないようにすることが可能になるからである。
【００１２】
この場合において、砂状物質充填部をどのように設けるかについては、特に限定されないが、
砂状物質充填部を、各外壁部材の上部に取付可能とされた、金属板からなる溝型部材によって形成し、
天蓋部材の外縁部に、溝型部材の溝内に充填された砂状物質に対して下向きに差し込み可能な下向き折曲部を形成し、
各外壁部材の上縁部に、前記溝型部材の溝上を覆う内向き折曲部を形成する
と好ましい。
【００１３】
このように、天蓋部材の外縁部に設けられた下向き折曲部を砂状物質に差し込むとともに、各外壁部材の上縁部に設けられた内向き折曲部で砂状物質の上方（溝型部材の溝の上方）を覆うことにより、天蓋部材の外縁部と各外壁部材の上縁部との境界部分から燃焼ガスがより漏れ出にくくすることが可能になる。また、天蓋部材と各外壁部材とを強固に固定してしまうと、天蓋部材や各外壁部材に熱変形が生じた場合に、天蓋部材と各外壁部材との境界部分に大きな応力が生じて、天蓋部材や各外壁部材に割れ等の破損が生じる虞もあるところ、上記のように、天蓋部材の外縁部に設けられた下向き折曲部を砂状物質に差し込む構造を採用し、天蓋部材を各外壁部材（溝型部材）に対してルーズに固定するようにすることで、天蓋部材の外縁部（下向き折曲部）は、溝型部材の溝の幅に相当する量の変位が可能になるため、熱変形に伴う応力が、天蓋部材と各外壁部材との境界部分に生じないようにすることも可能になる。
【００１４】
ところで、上記のように、本体部の上部（天蓋部材と各外壁部材との境界部分）の封止をしっかりと行った場合には、その分、本体部内の燃焼ガスは、本体部の側部（隣り合う外壁部材の境界部分）から漏れ出ようとする。このため、隣り合う外壁部材の境界部分にも砂状物質充填部を設け、それに充填した砂状物質で当該境界部分を封止するようにしてもよいが、隣り合う外壁部材の境界部分は、上下方向に延在するため、砂状物質で封止することは必ずしも容易ではない。したがって、隣り合う外壁部材の境界部分は、以下の構造を採用することによって封止すると好ましい。
【００１５】
すなわち、
複数の外壁部材のうち、少なくとも一の外壁部材の端縁部に、外向きに折り曲げられた外向き折曲部を形成し、
前記一の外壁部材の周囲に配される他の外壁部材の端縁部に、前記一の外壁部材の外向き折曲部に重なり合う重合部と、当該重合部から前記一の外壁部材の外向き折曲部側に折り曲げられて当該外向き折曲部の外端縁を覆う被覆折曲部とを形成する
構造である。
【００１６】
これにより、隣り合う外壁部材の境界部分から漏れ出ようとする燃焼ガスの本体部外への行く先を、外向き折曲部と重合部とが重なり合った部分と、被覆折曲部とによって、２重に阻むことができるため、隣り合う外壁部材の境界部分に砂状物質を充填しなくても、当該境界部分から燃焼ガスが漏れ出ないようにすることが可能になる。この構成は、全ての外壁部材の境界部分で採用するとより好適である。
【００１７】
本考案に係る分解組立式バイオマス暖房機においては、
複数の外壁部材を、
外気を本体部内に供給するための給気口を有する前方外壁部材と、
本体部内で燃焼された空気を本体部内から排出するための排気口を有する後方外壁部材と、
前方外壁部材及び後方外壁部材の両側に配される左右一対の側方外壁部材と
で構成するとともに、
通気口を有する金属板からなる前方内壁部材を、前方外壁部材から後方に隙間（以下「第一の隙間」という。）を隔てた状態で前方外壁部材に沿って設け、
通気口を有する金属板からなる後方内壁部材を、後方外壁部材から前方に隙間（以下「第二の隙間」という。）を隔てた状態で後方外壁部材に沿って設け、
第一の隙間と第二の隙間とを連結し、第一の隙間から第二の隙間への給気を可能とする給気路形成部材を、左右一対の側方外壁部材の内面側に設けることによって、
前方内壁部材と後方内壁部材との間の空間が、一次燃焼室となり、
第一の隙間、第二の隙間及び給気路形成部材の内部空間が、二次燃焼室となるようにする
ことも好ましい。
【００１８】
というのも、一次燃焼室内のガス（一次燃焼ガス）は、通常、タール等の不純物をある程度含んでいるため、この一次燃焼ガスが排気口からそのまま排出されるようにすると、本体部からの燃焼ガスの漏出を防いだとしても、暖房対象箇所の環境が悪化する虞がある。この点、上記のように、二次燃焼室を設け、二次燃焼室を通じて排気口から燃焼ガスが排出されるようにすることで、一次燃焼室では燃え切らなかった不純物を二次燃焼室で燃焼（一次燃焼室から伝わる熱で再燃焼）させてクリーンな状態とした後に、排気口から排気することが可能になるからである。加えて、一次燃焼室と隣り合う外壁部材の境界部分との間には、二次燃焼室が配されるようになるため、不純物を含む一次燃焼ガスが、隣り合う外壁部材の境界部分から漏れ出ないようにすることが可能になる。換言すると、仮に、隣り合う外壁部材の境界部分から燃焼ガスが漏れ出ることがあったとしても、その漏れ出る燃焼ガスを、一次燃焼ガスよりも不純物の少ない二次燃焼室内の燃焼ガス（二次燃焼ガス）とすることが可能になる。
【００１９】
この場合において、給気路形成部材の天井面は、水平に形成してもよいが、第一の隙間側（給気側）から第二の隙間側（排気側）になるにつれて高くなるように形成すると好ましい。これにより、燃焼ガスが給気側から排気側へとスムーズに移動するようにすることが可能になる。
【考案の効果】
【００２０】
以上のように、本考案によって、運搬や設置が容易で安価な分解組立式のものでありながら、各部材の境界部分から燃焼ガスが漏れ出にくくして、暖房対象箇所の環境の悪化を防止することや、燃焼効率を高めることのできる分解組立式バイオマス暖房機を提供することが可能になる。
【図面の簡単な説明】
【００２１】
【図１】本考案に係る分解組立式バイオマス暖房機を鉛直面で切断した状態を示した断面図である。
【図２】本考案に係る分解組立式バイオマス暖房機を示した分解斜視図である。
【図３】本考案に係る分解組立式バイオマス暖房機を水平面で切断した状態を示した断面図である。
【考案を実施するための形態】
【００２２】
本考案に係る分解組立式バイオマス暖房機の好適な実施態様について、図面を用いて具体的に説明する。図１は、本考案に係る分解組立式バイオマス暖房機を鉛直面で切断した状態を示した断面図である。図２は、本考案に係る分解組立式バイオマス暖房機を示した分解斜視図である。図３は、本考案に係る分解組立式バイオマス暖房機を水平面で切断した状態を示した断面図である。図示の制約や便宜等を考慮し、図１には、側方外壁部材１０４（図２）、下部給気路形成部材１１６（図２）、砂状物質溜め部形成部材１１２〜１１５（図２）及び後部給気路形成部材１１８，１１９（図２）を図示しておらず、図３には、天板部材１０１（図２）、砂状物質充填部形成部材１０８〜１１１（図２）及び砂状物質溜め部形成部材１１２〜１１５（図２）を図示していない。
【００２３】
本考案に係る分解組立式バイオマス暖房機は、図１に示すように、一次燃焼室αを本体部１００内に有するものとなっており、図２に示すように、本体部１００が、金属板からなる複数の部材１０１〜１１９に分解可能な構造のものとなっている。図１に示すように、一次燃焼室αには、木質バイオマス燃料３００が充填されるようになっている。この木質バイオマス燃料３００は、本体部１００に設けた給気口１０２ａを通じて本体部１００内に導入された空気を燃焼させるためのものとなっている。木質バイオマス燃料３００としては、放置竹林や間伐材や里山広葉樹や松くい虫被害材等の未利用森林資源を好適に用いることができる。
【００２４】
本実施態様の分解組立式バイオマス暖房機の本体部１００では、一次燃焼室αに加えて、二次燃焼室βも設けている。二次燃焼室βは、一次燃焼室αでは燃え切らなかったタール等の不純物を燃焼（一次燃焼室αから伝わる熱で再燃焼）させてよりクリーンな状態とするための部分となっている。このため、本体部１００から燃焼ガスの排気を行う排気口１０３ａは、一次燃焼室αではなく、二次燃焼室β（隙間β２）に接続する状態で設けている。これにより、農業用ハウス等の暖房対象箇所が、タール等の不純物で汚染されないようにすることができる。排気口１０３ａには、通常、煙突２００が取り付けられる。
【００２５】
分解組立式バイオマス暖房機における、本体部１００を形成する各部材１０１〜１１９を形成する金属板は、いずれも、薄く軽量なものとなっている。このため、本考案に係る分解組立式バイオマス暖房機は、運搬を容易に行うことができるだけでなく、農業用ハウスの内部にも容易に搬入でき、所望の箇所に容易に設置することが可能なものとなっている。加えて、本実施態様の分解組立式バイオマス暖房機において、本体部１００を構成する各部材１０１〜１１９は、金属板に、切断、穴開け、折曲又は溶接等の簡単な加工をしただけのものであり、複雑な加工を経ることなく作製できるものとなっている。このため、本実施態様の分解組立式バイオマス暖房機は、加工単価が低く、安価で製造でき、農家等のユーザーが導入しやすいものとなっている。また、破損等した場合には、修復等のメンテナンスを容易に行うことも可能なものとなっている。
【００２６】
各部材１０１〜１１９を形成する金属板の厚さは、特に限定されない。しかし、各部材１０１〜１１９を形成する金属板が厚すぎると、その重量が重くなり、本体部１００を各部材１０１〜１１９に分解できたとしても、その部材１０１〜１１９自体が運搬等しにくいものとなってしまう。このため、各部材１０１〜１１９を形成する金属板の厚さは、３ｍｍ以下とすると好ましく、２．５ｍｍ以下とするとより好ましく、２．３ｍｍ以下とするとさらに好ましい。一方、各部材１０１〜１１９を形成する金属板を薄くしすぎると、各部材１０１〜１１９の強度を保てなくなったり、各部材１０１〜１１９に穴が開いたりしやすくなる虞がある。このため、各部材１０１〜１１９を形成する金属板の厚さは、０．５ｍｍ以上とすると好ましく、０．８ｍｍ以上とするとより好ましい。本実施態様の分解組立式バイオマス暖房機において、各部材１０１〜１１９を形成する金属板の厚さは、約１ｍｍとなっている。
【００２７】
各部材１０１〜１１９を形成する金属板の重量（１部材当たりの重量。以下同じ。）は、最も重いものでも、１０ｋｇまでに抑えると好ましい。各部材１０１〜１１９を形成する金属板の重量に、特に下限はないが、本実施態様の分解組立式バイオマス暖房機においては、最も軽い部材で、１ｋｇ程度となっている。
【００２８】
本考案に係る分解組立式バイオマス暖房機において、本体部１００を形成する各部材１０１〜１１９をどのように構成するかについては、特に限定されない。本実施態様の分解組立式バイオマス暖房機において、本体部１００は、図２に示すように、天蓋部材１０１と、前方外壁部材１０２と、後方外壁部材１０３と、側方外壁部材１０４，１０５と、前方内壁部材１０６と、後方内壁部材１０７と、砂状物質充填部形成部材１０８，１０９，１１０，１１１と、砂状物質溜め部形成部材１１２，１１３，１１４，１１５と、下部給気路形成部材１１６，１１７と、後部給気路形成部材１１８，１１９とで構成している。
【００２９】
天蓋部材１０１は、本体部１００の天井部分を形成する板状部材となっている。前方外壁部材１０２は、本体部１００の給気側（前面側）の外壁部分を形成する板状部材となっている。後方外壁部材１０３は、本体部１００の排気側（後面側）の外壁部分を形成する板状部材となっている。側方外壁部材１０４，１０５は、前方外壁部材１０２及び後方外壁部材１０３の左右両側の外壁部分を形成する板状部材となっている。前方内壁部材１０６は、前方外壁部材１０２から後方に隙間β１（第一の隙間）を隔てた状態で前方外壁部材１０２に沿って設けられる板状部材となっている。後方内壁部材１０７は、後方外壁部材１０３から前方に隙間β２（第二の隙間）を隔てた状態で後方外壁部材１０３に沿って設けられる板状部材となっている。この２枚の前方内壁部材１０６と後方内壁部材１０７とを設けることにより、燃焼効率をより高めることが可能となっている。
【００３０】
本実施態様の分解組立式バイオマス暖房機において、天蓋部材１０１は、上面視正方形状としており、外壁部材１０２〜１０５は、外面視長方形状としている。このため、本体部１００は、直方体状となっている。ただし、本体部１００の形態は、これに限定されず、他の形態とすることもできる。例えば、本体部１００は、立方体状とすることもできるし、前後又は左右に細長い直方体状とすることもできるし、円柱状や楕円柱状とすることもできる。また、本実施態様の分解組立式バイオマス暖房機では、本体部１００の下面を塞ぐ部材を設けておらず、それを設置した地面で本体部１００の下面が塞がれるようにしているが、本体部１００の下面は、図示しない底板部材等で塞ぐようにしてもよい。
【００３１】
また、砂状物質充填部形成部材１０８，１０９，１１０，１１１は、外壁部材１０２，１０３，１０４，１０５の上部にそれぞれ取り付けられる溝型部材となっている。砂状物質溜め部形成部材１１２，１１３，１１４，１１５は、外壁部材１０２，１０３，１０４，１０５の外面側における上部にそれぞれ取り付けられるアングル部材となっている。下部給気路形成部材１１６，１１７は、側方外壁部材１０４，１０５の内面側における下縁部に沿ってそれぞれ設けられる溝型部材となっている。後部給気路形成部材１１８，１１９は、後方外壁部材１０３と側方外壁部材１０４，１０５との境界部分に沿ってそれぞれ設けられるアングル部材となっている。
【００３２】
既に述べたように、本実施態様の分解組立式バイオマス暖房機は、一次燃焼室αと二次燃焼室βとを有するものであるところ、天蓋部材１０１と、前方内壁部材１０６と、後方内壁部材１０７と、側方外壁部材１０４と、側方外壁部材１０５と、地面とで仕切られる空間が、上述した一次燃焼室αとして機能するようになっており、前方外壁部材１０２と前方内壁部材１０６との間の隙間β１と、後方外壁部材１０３と後方内壁部材１０７との間の隙間β２と、下部給気路形成部材１１６の内部空間β３と、下部給気路形成部材１１７の内部空間β４と、後部給気路形成部材１１８の内部空間β５と、後部給気路形成部材１１９の内部空間β６とが、上述した二次燃焼室βとして機能するようになっている。
【００３３】
前方外壁部材１０２には、給気口１０２ａが設けられており、後方外壁部材１０３には、排気口１０３ａが設けられている。図１に示すように、給気口１０２ａは、本体部１００の外部の空気（外気）を本体部１００内に導入するための部分となっており、排気口１０３ａは、本体部１００の内部の空気（燃焼ガス）を本体部１００外へ排気するための部分となっている。また、前方内壁部材１０６には、通気口１０６ａが設けられており、後方内壁部材１０７には、通気口１０７ａが設けられている。図１に示すように、通気口１０６ａは、一次燃焼室αと隙間β１（二次燃焼室β）との間で空気（燃焼ガス）を移動させるための部分となっており、通気口１０７ａは、一次燃焼室αと隙間β２（二次燃焼室β）との間で空気（燃焼ガス）を移動させるための部分となっている。
【００３４】
前方内壁部材１０６及び後方内壁部材１０７の下縁部における左右両端部には、図２に示すように、切欠部が設けられており、これらの切欠部には、下部給気路形成部材１１６，１１７の前端部と後端部とが嵌め込まれるようになっている。下部給気路形成部材１１６，１１７は、下方に開放された溝を有する溝型部材となっており、その内部空間β３，β４に空気を通すことが可能となっている。このため、本体部１００の前側の二次燃焼室β（隙間β１）と本体部１００の後側の二次燃焼室β（隙間β２）は、本体部１００の中央部の一次燃焼室αを通じてだけでなく、下部給気路形成部材１１６，１１７の内部空間β３，β４を通じても空気（燃焼ガス）の遣り取りが行われるようになっている。これにより、二次燃焼をより効果的に行うことが可能となっている。なお、本実施態様の分解組立式バイオマス暖房機では採用していないが、側方外壁部材１０４，１０５の内面側における上縁部に沿った箇所に上部給気路形成部材をそれぞれ設け、この上部給気路形成部材を通じても、隙間β１と隙間β２との間で空気（燃焼ガス）の遣り取りが行われるようにすることもできる。
【００３５】
なお、これらの溝型部材（下部給気路形成部材１１６，１１７）は、その加工を簡素化するため、単一の角形の部材又は丸形の部材を用いても構わない。また、排気を円滑にするため、通気口１０７ａの後側（後方外壁部材１０３側）に、排気口１０３ａに煙を導くための部材を設置することも好ましい。さらに、下部給気路形成部材１１６，１１７の内部空間β３，β４に加えて上部給気路形成部材の内部空間も二次燃焼室として利用する場合には、下部の溝型部材（下部給気路形成部材１１６，１１７）と上部の溝型部材（上部給気路形成部材）とを１枚の板で置き換えて一体化し、隙間β１と隙間β２とを一体化して、部材の単純化を図ることもできる。
【００３６】
部材１０１〜１１９は、天蓋部材１０１を除いて、ボルトやクリップ等の固定具を用いて互いに組み付けることができるようになっている。例えば、外壁部材１０２〜１０５は、前方外壁部材１０２の左縁部及び右縁部を側方外壁部材１０４，１０５の前縁部に対してそれぞれボルト止め等し、後方外壁部材１０３の左縁部及び右縁部を、側方外壁部材１０４，１０５の後縁部に対してそれぞれボルト止め等することによって、四角筒状に連結することができる。また、前方内壁部材１０６及び後方内壁部材１０７は、それらの左縁部及び右縁部を、側方外壁部材１０４，１０５の内面に対してそれぞれボルト止め等することもできる。上記以外の部材１０８〜１１９も、それらの部材１０８〜１１０が設けられる場所に応じて、他の部材１０１〜１１９に対してボルト止め等することができる。
【００３７】
ただし、部材１０１〜１１９は、ボルト等の固定具を用いることなく、互いに組み付けることができるようにすることもできる。例えば、各部材１０１〜１１９のうち、特定の部材の端縁部を折り返して溝を形成し、その溝に他の部材の端縁部をスライドさせて嵌め込むようにすること等も可能である。また、部材１０１〜１１９のうち、寸法が比較的小さい部材は、その近くに配される寸法が比較的大きい部材に予め溶接等して一体化させてもよい。例えば、砂状物質溜め形成部材１１４や砂状物質溜め形成部材１１５は、側方外壁部材１０４や側方外壁部材１０５に対して予め溶接して一体化させることもできる。これにより、部品点数を削減して、本体部１００の組み立てを容易にすることができる。
【００３８】
一方、天蓋部材１０１は、開閉可能な状態で設けられるようになっており、本実施態様の分解組立式バイオマス暖房機においては、他の部材１０２〜１１９にはボルト止め等されず、本体部１００の上面部に被せた状態で配されるだけのものとなっている。木質バイオマス燃料３００を一次燃焼室αに充填する作業や、その木質バイオマス燃料３００に着火する作業や、使用済みの木質バイオマス燃料３００を一次燃焼室αから取り出す作業等を、給気口１０２ａ等の小さな開口部を通じて行うことは、必ずしも容易ではないところ、このように、天蓋部材１０１を開閉可能な構造とすることによって、本体部１００の上面部を大きく開放し、それらの作業を、本体部１００の上部から容易に行うことができるようになっている。
【００３９】
具体的には、天蓋部材１０１の外縁部には、図２に示すように、下向きに折り曲げられた下向き折曲部１０１ａが天蓋部材１０１の外縁部に沿って環状（「ロ」の字状）に設けられているところ、この環状の下向き折曲部１０１ａを、外壁部材１０２〜１０５の上縁部に取り付けられて環状（「ロ」の字状）に配された砂状物質充填部形成部材１０８，１０９，１１０，１１１（上方に解放された溝を有する溝型部材）の溝内に差し込むことで、天蓋部材１０１を取り付けるようにしている。砂状物質充填部形成部材１０８，１０９，１１０，１１１の溝内には、図１に示すように、砂状物質４００が充填されるようになっており、上記の下向き折曲部１０１ａは、この砂状物質４００内に差し込まれるようになっている。
【００４０】
これにより、天蓋部材１０１を開閉可能な構造としながらも、天蓋部材１０１と外壁部材１０２〜１０５との境界部分を、砂状物質４００で封止することができるようになっている。図１の拡大部分を見ると、天蓋部材１０１と前方外壁部材１０２との境界部分は、一次燃焼室αの燃焼ガスは、砂状物質４００を通過しない限りは、本体部１００の外部へと漏れ出ることはできないようになっていることが分かる。天蓋部材１０１と前方外壁部材１０３，１０４，１０５との境界部分も、これと同様の状態となっている。したがって、本体部１００内の燃焼ガスが、天蓋部材１０１と外壁部材１０２〜１０５との境界部分から漏れ出ないようにすることが可能となっている。
【００４１】
特に、本実施態様の分解組立式バイオマス暖房機は、上述したように、本体部１００が分解組立式となっていることに加えて、各部材１０１〜１１９は、薄く軽量な金属で形成されており、木質バイオマス燃料３００の燃焼時の熱によって変形する虞があるものとなっているため、部材１０１〜１１９（特に天蓋部材１０１及び外壁部材１０２〜１０５）の寸法精度をいくら高めたとしても、その内部で木質バイオマス燃料３００を燃焼させると、天蓋部材１０１と外壁部材１０２〜１０５との境界部分には、隙間が生じてしまいやすい。
【００４２】
この点、本実施態様の分解組立式バイオマス暖房機では、砂状物質充填部形成部材１０８〜１１１に砂状物質４００を充填することによって、天蓋部材１０１や外壁部材１０２〜１０５に、熱による変形が生じたとしても、天蓋部材１０１と外壁部材１０２〜１０５との境界部分の封止状態が保たれるようにしている。本実施態様の分解組立式バイオマス暖房機では、各部材１０１〜１１９の寸法精度もそれほど要求されない。なお、砂状物質４００は、それが充填された箇所の封止を行うだけでなく、本体部１００の蓄熱性を高めるという効果も奏することができる。
【００４３】
砂状物質充填部形成部材１０８〜１１１に充填する砂状物質４００は、通常、砂とされるが、砂に類する粒状又は粉状の物質であれば、他の物質を使用することもできる。本実施態様の分解組立式バイオマス暖房機において、砂状物質４００は、砂状物質充填部形成部材１０８〜１１１に充填するだけでなく、外壁部材１０２〜１０５の上縁部の外面側に取り付けた砂状物質溜め部形成部材１１２〜１１５（図２）にも溜めることができるようになっている。このため、本体部１００にさらに多くの砂を保持させて、本体部１００の蓄熱性をさらに高めることが可能となっている。本実施態様の分解組立式バイオマス暖房機において、砂状物質溜め部形成部材１１２〜１１５は、断面「Ｌ」字状のアングル部材を用いている。
【００４４】
このように、本実施態様の分解組立式バイオマス暖房機において、天蓋部材１０１は、被せただけの状態で設置されるものとなっているが、天蓋部材１０１の上面には、煉瓦や石等を載せると好ましい。これにより、煉瓦や石等に、天蓋部材１０１の浮き上がりを防止する錘として機能させるだけでなく、蓄熱材として機能させることも可能になり、暖房効果が長時間維持されるようにすることも可能になる。これと同様の理由で、下部給気路形成部材１１６，１１７の上面にも、煉瓦や石等を載せることも好ましい。
【００４５】
砂状物質充填部形成部材１０８〜１１１の溝の幅は、特に限定されない。しかし、砂状物質充填部形成部材１０８〜１１１の溝を狭くしすぎると、砂状物質充填部形成部材１０８〜１１１に充填できる砂状物質４００の量が少なくなり、砂状物質４００による封止作用や蓄熱作用が奏されにくくなる虞がある。また、天蓋部材１０１や外壁部材１０２〜１０５に熱による変形が生じたときに、天蓋部材１０１の下向き折曲部１０１ａが砂状物質充填部形成部材１０８〜１１１に強く突き当たり、天蓋部材１０１が浮き上がった状態となったり、天蓋部材１０１を開けること自体ができなくなったりする虞がある。このため、砂状物質充填部形成部材１０８〜１１１の溝の幅は、１ｃｍ以上とすると好ましい。砂状物質充填部形成部材１０８〜１１１の溝の幅は、５ｃｍ以上とするとより好ましく、１０ｃｍ以上とするとさらに好ましい。砂状物質充填部形成部材１０８〜１１１の溝の幅に、特に上限はないが、通常、２０〜３０ｃｍ程度までとされる。
【００４６】
砂状物質充填部形成部材１０８〜１１１の溝の深さも、特に限定されない。しかし、砂状物質充填部形成部材１０８〜１１１の溝を浅くしすぎると、砂状物質充填部形成部材１０８〜１１１に充填できる砂状物質４００の量が少なくなり、砂状物質４００による封止作用や蓄熱作用が奏されにくくなる虞がある。このため、砂状物質充填部形成部材１０８〜１１１の溝の深さは、１ｃｍ以上とすると好ましい。砂状物質充填部形成部材１０８〜１１１の溝の幅は、２ｃｍ以上とするとより好ましく、３ｃｍ以上とするとさらに好ましい。砂状物質充填部形成部材１０８〜１１１の溝の深さに、特に上限はないが、通常、１０〜１５ｃｍ程度までとされる。天蓋部材１０１の下向き折曲部１０１ａの折曲幅（下側への突出量）は、通常、砂状物質充填部形成部材１０８〜１１１の溝の深さと同程度とされるが、当該溝よりもやや浅くしても、深くしても構わない。
【００４７】
また、本実施態様の分解組立式バイオマス暖房機においては、図２に示すように、各外壁部材１０２，１０３，１０４，１０５の上縁部に、内向きに折り曲げた内向き折曲部１０２ｂ，１０３ｂ，１０４ｂ，１０５ｂをそれぞれ設けている。これらの内向き折曲部１０２ｂ，１０３ｂ，１０４ｂ，１０５ｂは、砂状物質充填部形成部材１０８，１０９，１１０，１１１の溝上をそれぞれ覆うための部分となっている。
【００４８】
このように、外壁部材１０２，１０３，１０４，１０５の上縁部に内向き折曲部１０２ｂ，１０３ｂ，１０４ｂ，１０５ｂを設けることによって、一次燃焼室αからだけでなく二次燃焼室βからの燃焼ガスの漏出も砂状物質４００で防ぐことが可能となっている。例えば、図１の拡大部分を見ると、内向き折曲部１０２ｂが存在しない場合には、二次燃焼室β（隙間β１）の燃焼ガスは、外壁部材１０２と砂状物質充填部形成部材１０８との隙間を通過しさえすれば、砂状物質４００を通過しなくても、本体部１００の外部へと漏れ出ることができるところ、内向き折曲部１０２ｂを設けて、その内向き折曲部１０２ｂに達する箇所まで砂状物質４００を充填することによって、二次燃焼室β（隙間β１）の燃焼ガスも、砂状物質４００を通過しなければ、本体部１００の外部へと漏れ出ることができない状態となることが分かる。
【００４９】
外壁部材１０２，１０３，１０４，１０５における内向き折曲部１０２ｂ，１０３ｂ，１０４ｂ，１０５ｂの折曲幅（内側への突出量）は、特に限定されない。しかし、内向き折曲部１０２ｂ，１０３ｂ，１０４ｂ，１０５ｂの折曲幅を狭くしすぎると、二次燃焼室βからの燃焼ガスの漏出を砂状物質４００によって防ぎにくくなる虞がある。このため、内向き折曲部１０２ｂ，１０３ｂ，１０４ｂ，１０５ｂの折曲幅は、１ｃｍ以上とすると好ましい。内向き折曲部１０２ｂ，１０３ｂ，１０４ｂ，１０５ｂの折曲幅は、３ｃｍ以上とするとより好ましく、５ｃｍ以上とするとさらに好ましい。内向き折曲部１０２ｂ，１０３ｂ，１０４ｂ，１０５ｂの折曲幅は、砂状物質充填部形成部材１０８〜１１１の溝の幅よりも小さければ、特に上限はないが、通常、砂状物質充填部形成部材１０８〜１１１の溝の幅の２分の１程度までとされる。
【００５０】
さらに、本実施態様の分解組立式バイオマス暖房機においては、図２に示すように、側方外壁部材１０４の端縁部に、外向きに折り曲げられた外向き折曲部１０４ｃを設けるとともに、側方外壁部材１０５の端縁部にも、外向きに折り曲げられた外向き折曲部１０５ｃを設けている。一方、側方外壁部材１０４，１０５の前方に組み付けられる前方外壁部材１０２の端縁部には、重合部１０２ｃと被覆折曲部１０２ｄとを設けるとともに、側方外壁部材１０４，１０５の後方に組み付けられる後方外壁部材１０３の端縁部にも、重合部１０３ｃと被覆折曲部１０３ｄとを設けている。
【００５１】
このため、図３に示すように、外壁部材１０２〜１０５を互いに組み付けた際には、前方外壁部材１０２及び後方外壁部材１０３の重合部１０２ｃ，１０３ｃが、側方外壁部材１０４，１０５の外向き折曲部１０４ｃ，１０５ｃに重なり合い、前方外壁部材１０２及び後方外壁部材１０３の被覆折曲部１０２ｄ，１０３ｄが、側方外壁部材１０４，１０５の外向き折曲部１０４ｃ，１０５ｃの外端縁を覆うようになっている。このような構造を採用することによって、隣り合う外壁部材１０２〜１０５の境界部分からの燃焼ガスの漏出も防ぐことができるようになっている。外向き折曲部１０４ｃ，１０５ｃと重合部１０２ｃ，１０３ｃとの重なり幅や、被覆折曲部１０２ｄの折曲幅は、特に限定されないが、いずれも、通常、１〜１５ｃｍとされ、好ましくは、３〜１０ｃｍとされる。
【００５２】
さらにまた、本実施態様の分解組立式バイオマス暖房機においては、図１に示すように、下部給気路形成部材１１７の天井面を、給気側の隙間β１から排気側の隙間β２になるにつれて高くなるように傾斜した状態としており、同図には現れていない下部給気路形成部材１１６（図２）の天井面も、同様に傾斜した状態としている。下部給気路形成部材１１６，１１７に加えて、上部給気路形成部材を設けることができることについては、既に述べた通りであるが、この上部給気路形成部材を設ける場合にも、上部給気路形成部材の天井面を傾斜させることができる。
【００５３】
これにより、給気側の隙間β１にある燃焼ガスを、排気側の隙間β２へとスムーズに移動させることが可能になる。この場合、下部給気路形成部材１１６，１１７や上部給気路形成部材は、その側面視を台形状に形成することによって、それらの天上面が傾斜した状態となるようにしてもよいが、本実施態様の分解組立式バイオマス暖房機では、本体部１００の全体を傾斜させることによって、下部給気路形成部材１１６，１１７等の天上面を傾斜させている。下部給気路形成部材１１６，１１７等の天上面の傾斜角度は、特に限定されないが、通常、１〜２０°とされ、好ましくは、２〜１０°、より好ましくは３〜５°とされる。本実施態様の分解組立式バイオマス暖房機において、下部給気路形成部材１１６，１１７等の天上面の傾斜角度は、約３．４°（６％の勾配）としている。
【符号の説明】
【００５４】
１００    本体部
１０１    天蓋部材
１０１ａ  下向き折曲部
１０２    前方外壁部材（外壁部材）
１０２ａ  給気口
１０２ｂ  内向き折曲部
１０２ｃ  重合部
１０２ｄ  被覆折曲部
１０３    後方外壁部材（外壁部材）
１０３ａ  排気口
１０３ｂ  内向き折曲部
１０３ｃ  重合部
１０３ｄ  被覆折曲部
１０４    側方外壁部材（外壁部材）
１０４ｂ  内向き折曲部
１０４ｃ  外向き折曲部
１０５    側方外壁部材（外壁部材）
１０５ｂ  内向き折曲部
１０５ｃ  外向き折曲部
１０６    前方内壁部材
１０６ａ  通気口
１０７    後方内壁部材
１０７ａ  通気口
１０８    砂状物質充填部形成部材（砂状物質充填部）（溝型部材）
１０９    砂状物質充填部形成部材（砂状物質充填部）（溝型部材）
１１０    砂状物質充填部形成部材（砂状物質充填部）（溝型部材）
１１１    砂状物質充填部形成部材（砂状物質充填部）（溝型部材）
１１２    砂状物質溜め部形成部材（アングル部材）
１１３    砂状物質溜め部形成部材（アングル部材）
１１４    砂状物質溜め部形成部材（アングル部材）
１１５    砂状物質溜め部形成部材（アングル部材）
１１６    下部給気路形成部材（給気路形成部材）
１１７    下部給気路形成部材（給気路形成部材）
１１８    後部給気路形成部材（給気路形成部材）
１１９    後部給気路形成部材（給気路形成部材）
２００    煙突
３００    木質バイオマス燃料
４００    砂状物質
α    一次燃焼室
β    二次燃焼室
β１  前方外壁部材と前方内壁部材との隙間（第一の隙間）（二次燃焼室）
β２  後方外壁部材と後方内壁部材との隙間（第二の隙間）（二次燃焼室）
β３  下部給気路形成部材の内部空間（二次燃焼室）
β４  下部給気路形成部材の内部空間（二次燃焼室）
β５  後部給気路形成部材の内部空間（二次燃焼室）
β６  後部給気路形成部材の内部空間（二次燃焼室）
【図１】
0003210473.tif 000003
【図２】
0003210473.tif 000004
【図３】
0003210473.tif 000005